(57)【要約】【課題】  ある素子からネットワーク等へ光信号を付加する際に、付加される光信号とネットワークで既に通信中の光トラフィックとの間で生じる干渉を実質的に解消又は軽減すること。【解決手段】  直接的に接続された光素子を管理するための方法は、光ネットワークで通信するためのソース光信号を受信するステップを含む。そのソース光信号は、１以上のソースチャネルより成る。本方法は、光トラフィックの１以上のネットワークチャネルを判別するために、前記光ネットワークで通信される光トラフィックを監視するステップ及び１以上のネットワークチャネルのネットワークチャネル情報を判別するステップを含む。本方法は、前記１以上のソースチャネルの前記光ネットワークチャネルで通信するステップをも含み、その光ネットワークチャネルは１以上のネットワークチャネルのいかなるものとも干渉しないものである。【選択図】  図１
2005303970.tif 000002
【特許請求の範囲】
【請求項１】
光ネットワークで通信するためのソース光信号を受信するステップであって、前記ソース光信号は、１以上のソースチャネルより成るところのステップ；
光トラフィックが通信される１以上のネットワークチャネルを判別するために、前記光ネットワークで通信される光トラフィックを監視するステップ；
前記１以上のネットワークチャネルのネットワークチャネル情報を判別するステップ；及び
前記１以上のソースチャネルの前記光ネットワークチャネルで通信するステップ；
を有し、前記光ネットワークチャネルは前記１以上のネットワークチャネルのいかなるものとも干渉せず、前記１以上のネットワークチャネルのいかなるものとも干渉する１以上のソースチャネルに関する光ネットワークチャネルで通信することを防ぐ
ことを特徴とする直接的に接続された光素子を管理するための方法。
【請求項２】
前記１以上のネットワークチャネルのいかなるものとも干渉する１以上のソースチャネルに関する光ネットワークで通信することを遮るステップを更に有する
ことを特徴とする請求項１記載の方法。
【請求項３】
光ネットワークに結合されたインサービスモニタを有する、直接的に接続された光素子を管理するシステムであって、前記インサービスモニタは：
１以上のネットワークチャネルを構成する、前記光ネットワークで通信される光トラフィックを監視し；
前記１以上のネットワークチャネルのネットワークチャネル情報を判別し；及び
前記インサービスモニタに結合されるネットワーク制御部に前記ネットワークチャネル情報を通知する；
ように動作可能であり、当該システムは、ソースに及び前記ネットワーク制御部に結合された１以上のフィルタを有し、各フィルタは：
ソース光信号の１以上のソースチャネルを受信し；及び
受信した１以上のソースチャネルの１以上で、前記光ネットワークと通信することを妨げる；
ように動作可能であり、前記ネットワーク制御部は、前記１以上のネットワークチャネルのいかなるものとも干渉する１以上のソースチャネルのいかなるものも遮るように、前記１以上のフィルタを制御するよう動作可能である
ことを特徴とするシステム。
【請求項４】
前記１以上のフィルタが１以上のチューナブルフィルタから構成され；及び
前記ネットワーク制御部が、前記１以上のネットワークチャネルのいかなるものとも干渉する１以上のソースチャネルのいかなるものも遮るように、前記１以上のチューナブルフィルタを調整するよう動作可能である；
ことを特徴とする請求項３記載のシステム。
【請求項５】
光ネットワークに結合されたインサービスモニタを有する、直接的に接続された光素子を管理するシステムであって、前記インサービスモニタは：
１以上のネットワークチャネルを構成する、前記光ネットワークで通信される光トラフィックを監視し；
前記１以上のネットワークチャネルのネットワークチャネル情報を判別し；及び
前記インサービスモニタに結合されるネットワーク制御部に前記ネットワークチャネル情報を通知する；
ように動作可能であり、当該システムは、前記ネットワーク制御部に結合されたチャネルモニタを有し、前記チャネルモニタは：
ソース光信号の１以上のソースチャネルを受信し；
前記１以上のソースチャネルのソースチャネル情報を判別し；及び
前記ソースチャネル情報を前記ネットワーク制御部に通知する；
ように動作可能であり、前記ネットワーク制御部は：
前記ネットワークチャネル情報及び前記ソースチャネル情報により、前記１以上のソースチャネルのいかなるものが前記１以上のネットワークチャネルのいかなるものと干渉するか否かを判別し；及び
前記１以上のネットワークチャネルのいかなるものとも干渉しない１以上のソースチャネルの光ネットワークチャネルで通信する；
ように動作可能であることを特徴とするシステム。
【発明の詳細な説明】
【技術分野】
【０００１】
本発明は、一般に光通信システムの技術分野に関連し、特に直接的に接続された光学素子を管理するための方法及びシステムに関連する。
【背景技術】
【０００２】
電気通信システム、ケーブルテレビジョンシステム及びデータ通信ネットワークは、遠隔した地点間で大量の情報を速やかに搬送するために光ネットワークを利用する。光ネットワークでは、情報は、光ファイバを介する光信号の形式で伝送される。光ファイバは、非常に低損失で長距離にわたって信号を伝送することが可能な細いガラス線で構成される。
【０００３】
光ネットワークは、しばしば、伝送容量を増やすために、波長分割多重化（ＷＤＭ）又は高密度波長分割多重化（ＤＷＤＭ）を用いる。ＷＤＭ及びＤＷＤＭネットワークでは、各ファイバ内で異なる波長の多数の光チャネルが搬送される。ネットワーク容量は、各ファイバにおける波長又はチャネル数、及びチャネルの帯域又はサイズに基づく。
【０００４】
ＷＤＭ及びＤＷＤＭネットワークが構築するトポロジは、そのようなネットワークが使用される範囲を決定する上で重要な役割を演じる。リングトポロジは今日のネットワークで一般的である。ＷＤＭ付加／削除ユニットは、そのような光リングの周辺におけるネトワーク要素として機能する。各ネットワーク要素（ノード）でＷＤＭ付加／削除ユニットを用いることで、複合信号全体が、その構成要素のチャネルに完全に多重化解除（分離）され、切り替えられることが可能である（付加される／削除される、又はそこを通過させる）。そのような付加／削除装置は、その付加／削除装置に関連する１以上のクライアントに対して、光リングのトラフィックを落とす（ドロップする）ように使用できる。更に、付加／削除装置は、ある光リングから別の光リングまでのトラフィックを通信するためにも使用可能である。ある光素子から別のものに（例えばある素子からネットワークへ）光信号を通信する又は付加する際に、付加される光信号とネットワークで既に通信中の光トラフィックとの間で干渉が生じる虞がある。
【発明の開示】
【発明が解決しようとする課題】
【０００５】
本発明は、直接的に接続された光素子を管理するための方法及びシステムを与え、従来の方法及びシステムに関する欠点や問題点の少なくとも一部を実質的に解消又は軽減することを課題とする。
【課題を解決するための手段】
【０００６】
本発明の特定の態様による、直接的に接続された光素子を管理するための方法は、光ネットワークで通信するためのソース光信号を受信するステップを含む。そのソース光信号は、１以上のソースチャネルより成る。本方法は、光トラフィックの１以上のネットワークチャネルを判別するために、前記光ネットワークで通信される光トラフィックを監視するステップ及び１以上のネットワークチャネルのネットワークチャネル情報を判別するステップを含む。本方法は、前記１以上のソースチャネルの前記光ネットワークチャネルで通信するステップをも含み、その光ネットワークチャネルは１以上のネットワークチャネルのいかなるものとも干渉しないものである。
【０００７】
本方法は、前記１以上のネットワークチャネルのいかなるものとも干渉する１以上のソースチャネルに関する光ネットワークで通信することを遮るステップを有する。これは、前記１以上のネットワークチャネルのいかなるものとも干渉する１以上のソースチャネルに関する光ネットワークで通信することを遮る１以上のフィルタを制御するステップより成る。また、本方法は、チャネルモニタにおいて、１以上のソースチャネルのソースチャネル情報を判別するステップと、ネットワークチャネル情報及びソースチャネル情報により、１以上のソースチャネルのいかなるものが、１以上のネットワークチャネルのいかなるものと干渉するかを判別するステップとを含む。１以上のソースチャネルのソースチャネル情報は、１以上のソースチャネルに関連する波長の識別情報から構成されてもよい。更に、本方法は、１以上のソースチャネルの各々を、チャネルモニタ又は光ネットワークに伝送する１以上の光スイッチを制御するステップを含んでもよい。
【０００８】
別の態様によれば、直接的に接続された光素子を管理するシステムは、光ネットワークに結合されたインサービスモニタを有する。前記インサービスモニタは、前記光ネットワークで通信される光トラフィックを監視する。光トラフィックは、１以上のネットワークチャネルを構成する。インサービスモニタは、前記１以上のネットワークチャネルのネットワークチャネル情報を判別し；及び前記インサービスモニタに結合されるネットワーク制御部に前記ネットワークチャネル情報を通知するように動作可能である。本システムは、前記ネットワーク制御部に結合されたチャネルモニタを含む。前記チャネルモニタは、ソース光信号の１以上のソースチャネルを受信し、前記１以上のソースチャネルのソースチャネル情報を判別し；及び前記ソースチャネル情報を前記ネットワーク制御部に通知するように動作可能である。前記ネットワーク制御部は、前記ネットワークチャネル情報及び前記ソースチャネル情報により、前記１以上のソースチャネルのいかなるものが前記１以上のネットワークチャネルのいかなるものと干渉するか否かを判別し、及び前記１以上のネットワークチャネルのいかなるものとも干渉しない１以上のソースチャネルの光ネットワークチャネルで通信するように動作可能である。
【０００９】
本システムは、１以上の光スイッチを含んでもよい。各光スイッチは、２以上のソースチャネルの各自のチャネルを受信し、その各自のチャネルでチャネルモニタ又は光ネットワークに切り替え可能に通信する。ネットワーク制御部は、１以上のソースチャネルの光ネットワークチャネルで通信するために１以上の光スイッチを制御するよう動作可能であり、その光ネットワークチャネルは、１以上のネットワークチャネルのいかなるものとも干渉しない。
【発明の効果】
【００１０】
本発明の特定の実施例による技術的な利点には、光信号のチャネル及びネットワークで既に通信中のチャネルにより引き起こされる干渉を発生させずに、直接的に接続されたソースにより、光信号をネットワークに通信する手段が含まれる。従って、サービス中の保護機能とチャネル相互接続の柔軟性との双方が維持され、従って、低コスト且つ動的なサブネットワーク相互接続が実現される。
【００１１】
他の技術的な利点は、以下の図面、詳細な説明及び特許請求の範囲により当業者に充分に明らかになるであろう。更に、具体的な利点が上記に掲げられたが、様々な実施例は、掲げられた利点の全部又は一部を含んでもよいし、含まなくてもよい。
【００１２】
本発明の特定の実施例及びそれらの利点をより完全に理解するために、添付図面に関連する詳細な説明が以下に参照される。
【発明を実施するための最良の形態】
【００１３】
図１は光ネットワーク１００を示し、光ネットワークは、光リンクを用いてネットワークノード２００間で情報を通信するために使用される。光ネットワーク１００は、一般に、ハードウエア及び／又はソフトウエアを集合を表し、その集合は光信号形式でネットワークノード２００間で情報を通信する。特定の実施例では、光ネットワーク１００は、複数のチャネル（各チャネルは異なる波長を利用する）で情報を通信するために、波長分割多重化（ＷＤＭ）又は高密度波長分割多重化（ＤＷＤＭ）を利用する。概してノード２００ａ，２００ｂ，２００ｃ及び２００ｄとして言及しているネットワークノード２００は任意のハードウエア及び／又はソフトウエアを表し、光信号形式で光ネットワーク１００内で搬送される情報を受信し、適切な形式でその情報を処理し、及び／又は光ネットワーク１００に情報を通信する。ノード２００は、光スイッチ、増幅器、付加−削除マルチプレクサ、光−電気変換器、又は光信号を処理する他の任意の適切なハードウエア及び／又はソフトウエアを含んでいてもよい。
【００１４】
ネットワークノード２００間のリンク１０２は、ネットワークノード２００の間で光信号１０４を通信するのに適切な任意のリンクを表す。従って、リンク１０２は、シングルモードのファイバ、分散補償ファイバ、分散シフトファイバ、ノンゼロ分散シフトファイバ等を含む光通信媒体の任意の手段を含んでいてもよい。また、リンク１０２は、増幅器、中継器（リピータ）又は光−電気−光（ＯＥＯ）変換器のような他の任意の適切な光学素子を含んでいてもよい。リンク１０２は、任意の適切なフォーマット又はプロトコルを利用して情報を伝送し、そのフォーマット又はプロトコルは、フレームリレー、非同期転送モード（ＡＴＭ）、同期光ネットワーク（ＳＯＮＥＴ）又は他の任意の通信方法を含む。また、リンク１０２は、ノード２００間で情報を通信するのに必要な、任意の必要な信号及び／又はプロトコル変換を実行してもよい。リンク１０２は単方向性でも双方向性でもよい。多くのネットワークでは、光ネットワーク１００の周りを時計回りに伝搬する「東行き」経路と、光ネットワーク１００の周りを反時計回りに情報を伝搬する「西行き」経路とが存在する。各リンク１０２は、光信号１０４を通信するための１以上の光ファイバ又は他の媒体を含み、光ネットワーク１００のノード２００は、リング型、星型又は他の適切なネットワーク形態を含む適切ないかなる形態に配置されてもよい。
【００１５】
特定の実施例では、リンク１０２は、図１に示される形式の波長スペクトルを有する光信号を搬送する。信号１０４は、複数の異なるデータチャネルから構成されてもよい。各チャネルは関連する波長を有し、その波長でチャネル内のデータが通信される。リンク１０２で搬送される情報は、いかなる特定の波長１０８及び光信号１０４に割り当てられてもよい。適切な装置を用いることで、波長１０８が付加され、削除され、切り替えられ又は別々に処理されてもよい。信号１０４は光監視チャネル（ＯＳＣ）１１０を有し、そのチャネルはネットワークの管理に使用される情報を伝搬するために割り当てられた１以上の波長を表現する。例えば、ＯＳＣ１１０は、各チャネルが準備されたか否か及びチャネル１０８の通信で検出された誤りの存否を示すチャネル１０８に関するステータス情報を通信してもよい。ネットワーク管理情報を搬送するために、いかなる数の波長をＯＳＣ１１０に割り当ててもよい。
【００１６】
特定の実施例では、ソース１０７からの光信号１０６は、例えば光シンク１０２ｂのような光リンクにて光ネットワーク１００に加えられる。光信号１０６は、ソース１０７による直接的な接続を用いて光ネットワーク１００に加えられる。ネットワークとソース１０７の直接接続は、トランスポンダを必要とせずに、ソースからネットワークへの信号の通信を可能にする。ソース１０７は、他の光ネットワーク、サブネットワーク、リング、ノード、クライアント又は光信号を通信する他の素子から構成されてもよい。光信号１０４のような光信号１０６は、複数の異なる波長で光情報を搬送する。
【００１７】
例えば、光ネットワーク１００に付加される光信号１０６の情報が、信号１０６の付加される地点で光ネットワーク１００にて既に通信中の１以上の波長により搬送されていたならば、光ネットワーク１００への光信号１０６の付加は、通常的には、干渉のような問題を引き起こすであろう。従って、光リンク１０２ｂは、特定の波長の付加を防ぐための直接接続ノード１１２を含み、その特定の波長とは光リンク１０２ｂで光ネットワーク１００上で既に通信中のものである。直接接続ノード１１２は、光ネットワーク１００に付加される光信号１０６と、光信号１０４のような光ネットワーク１００で目下通信中の光信号との双方を監視し、ネットワークで既に通信中の波長の付加により引き起こされる干渉を防ぐ。直接接続ノード１１２は、特定のノードに従って、これらの又は更なる動作を促進するよう動作可能な、適切ないかなるハードウエア、ソフトウエア、素子又はオブジェクトを含んでもよい。
【００１８】
図２は、本発明の一実施例による、チャネルモニタを用いる直接接続ノード３００を示す。特定の実施例における直接接続ノード３００の構成は、図１の直接接続ノード１１２に使用されてもよい。直接接続ノード３００は、光ネットワークの光リンク３０２に結合される。直接接続ノード３００は、光リンク３０２とソース３０５との直接的な接続手段を与え、光チャネルの光トラフィックをリンク３０２の光ネットワークに付加することで引き起こされる干渉を抑制する。ソース３０５は、光ネットワーク、サブネットワーク、リング、ノード、クライアント又は光信号を通信する他のいかなる素子から構成されてもよい。
【００１９】
光リンク３０２に付加される光チャネル３０６は、ソース３０５から、直接接続ノード３００に入る。図示の例では、光チャネル３０６は、４チャネルの光トラフィック（λ１，λ２，λ３，λ４）より成るが；他の実施例では、直接接続ノードにて、光リンクに付加する異なる数の光チャネルを含んでもよい。各チャネルは、各自の１×２スイッチ３０８に入る。１×２スイッチ３０８の各々は、受信した光チャネルを、ｎ×１スイッチ３１０又は一連の合成部３１２に送信し、その合成部は、合成部３２０にて光リンク３０２に付加するために受信したチャネルを合成する。本説明及び特許請求の範囲に関し、「カプラ（又は結合部）」、「スプリッタ」及び「合成部」なる用語の各々は、１以上の光入力信号を受信する、光入力信号を１以上の出力に分割する又は逆に合成するいかなる装置も包含するよう理解されるべきである。他の実施例では、光リンクに付加する受信チャネルを合成する、異なる数の合成部３１２を含んでいてもよい。
【００２０】
チャネルモニタ３１４は、ｎ×１スイッチ３１０に伝送されたチャネルを受信し、そのようなチャネルの身元をネットワーク制御部３１６に送信する。インサービスモニタ３１８は、光リンク３０２を監視し、どのチャネルがリンク３０２で通信中であるかを判別する。インサービスモニタ３１８は、そのような情報をネットワーク制御部１３６に送信する。チャネルモニタ３１４及びインサービスモニタ３１８は、直接接続ノード３００にて受信される及び光リンク３０２にて通信されるチャネルをそれぞれ判別するために、光−電気−光変換を実行してもよい。ネットワーク制御部３１６は、インサービスモニタ３１８及びチャネルモニタ３１４の双方からチャネル情報を受信する。そのような情報に基づいて、ネットワーク制御部３１６は、スイッチ３０８を制御し、光リンク３０２で通信されていないチャネルのみがそのスイッチを介して伝搬するようにし、それにより、そのチャネルで搬送される新たな情報を光リンクに付加することで引き起こされる干渉の発生を回避する。例えば、λ１のチャネルが光リンク３０２で現在通信されている場合に、ネットワーク制御部３１６は、スイッチ３０８ａが、受信したλ１のトラフィックを、光リンク３０２に加えるために合成部３１２に送ることを許容しない。モニタ３１４及び３１８は、光検出器又は光スペクトラムアナライザのような素子を含んでいてもよく、ネットワーク制御部３１６はネットワーク管理システムのような素子を含んでいてもよい。モニタ３１４，３１８及びネットワーク制御部３１６も、上述したような素子で実行される動作を支援するよう動作可能な他のいかなるハードウエア、ソフトウエア、要素又はオブジェクトを含んでいてもよい。
【００２１】
光トラフィックの各チャネル３０６を受信するためにｎ×１スイッチ３１０を利用することは、単一のチャネルモニタが、そのチャネルを監視するために使用されることを可能にし、それにより、光トラフィックの各チャネル３０６用に別個のチャネルモニタを使用する場合にかかる費用増加を回避する。１つのチャネルモニタが使用されるので、ネットワーク制御部３１６は、ｎ×１スイッチ３１０で受信したチャネルの各々を順番に検査してもよい。ネットワーク制御部３１６が、付加する特定のチャネルが光リンク３０２に干渉を生じさせないことを確認したならば、チャネルのスイッチ３０８は、そのチャネルを合成部３１２に伝送するように切り替わる。特定の実施例では、光リンク３０２に通信されるトラフィック又はソース３０５に関する準備又は再構築が生じる際に、ネットワーク制御部３１６は、直接接続ノードで受信したトラフィックのみを検査する。
【００２２】
図３は、本発明の一実施例による、チューナブルフィルタを用いる直接接続ノード４００を示す図である。特定の実施例では、直接接続ノード４００の構成は、図１の直接接続ノード１１２に使用されてもよい。直接接続ノード４００は、光ネットワークの光リンク４０２に結合される。直接接続ノード４００は、光リンク４０２とソース４０５との直接的な相互接続手段を与え、特定のチャネルの光信号４０４を光ネットワークのリンク４０２に加えることで引き起こされる干渉を減らす。ソース４０５は、光ネットワーク、佐産ネットワーク、リング、ノード、クライアント又は光信号を通信する他のいかなる素子から構成されてもよい。
【００２３】
光リンク４０２に付加される光信号４０４は、光信号の４つの複製を生成する一連のカプラ４０６を通じて伝搬する。複数のカプラ４０６が記述されているが、他の適切ないかなる光スプリッタが使用されてもよい。更に、３つのカプラ４０６が図示されているが、他の実施例は、光信号４０４の１以上の複製を形成するために異なる数のカプラを含んでいてもよい。
【００２４】
光信号の複製の各々は、直接接続ノード４００のチューナブルフィルタ４０８の各々に転送される。チューナブルフィルタ４０８の各々は、各自のチャネルのトラフィックがそこを伝搬できるように構成される。一例として、光信号４０４が、ｎ個のチャネル（λ１，λ２，λ３，．．．，λｎ）を含む場合に、チューナブルフィルタ４０８ａ−４０８ｄは、複数のチャネルλ１−λ４を除いて総てのトラフィックをそれぞれブロックしてもよい。４つのチューナブルフィルタ４０８が図示されているが、他の実施例は、異なる数のチューナブル又は別のフィルタを備え、伝搬する各チャネルのいかなる数のトラフィックを遮断してもよい。
【００２５】
ネットワーク制御部４１６は、光信号４０８の複数のチャネルを決定するチューナブルフィルタ４０８の各々を制御し、それらのチャネルは各フィルタを通じて伝搬することを許可される。インサービスモニタ４１８は、光リンク４０２を監視し、リンク４０２でどのチャネルが通信中であるかを判別し、そのような情報をネットワーク制御部４１６に送信する。従って、ネットワーク制御部４１６は、リンク４０２で通信されているチャネルに関する情報を受信し、チューナブルフィルタ４０８を制御し、光リンク４０２で通信されていないチャネルのみがそのフィルタを通過して伝搬することを許可する。従って、光リンク４０２で現在通信中のチャネルで搬送される新たな情報を光リンク４０２に付加することで引き起こされる干渉の発生が回避される。
【００２６】
光信号が、１以上のチャネルが遮断されるチューナブルフィルタを通過した後に、それらの信号は、合成部４２０にて光リンク４０２に付加するために、合成部４１２にて合成される。
【００２７】
図４は、本発明の一実施例による、直接的に接続された光素子の管理方法を示すフローチャートである。本方法はステップ５００から始まり、光ネットワークで通信するための光ソース信号が受信される。ソース信号は、光ネットワーク、サブネットワーク、リング、ノード、クライアント又は光信号を通信する他のいかなる素子から受信されてもよい。ステップ５０２では、光ネットワークで通信される光トラフィックは、光トラフィックの１以上のネットワークチャネルを判別するために監視される。
【００２８】
本方法はステップ５０４に進み、１以上のネットワークチャネルのネットワークチャネル情報が判別される。そのようなネットワークチャネル情報は、１以上のネットワークチャネルに関連する波長の身元情報を含んでいてもよい。ステップ５０６では、１以上のいかなるネットワークチャネルとも干渉しない１以上のソースチャネルのチャネルは、光ネットワークに通信される。１以上のネットワークチャネルと干渉する１以上のいかなるソースチャネルも、光ネットワークに通信されることから遮られる（ブロックされる）。そのようなブロッキングは、１以上のソースチャネルを受信する１以上のフィルタを制御することを含んでいてもよい。特定の実施例では、それらのフィルタはチューナブルフィルタを含み、いかなるネットワークチャネルとも干渉するいかなるソースチャネルもブロックするように制御される。一実施例では、光ネットワークに通信されるソースチャネルを制御するために、スイッチが使用されてもよい。
【００２９】
方法例が説明されたが、本発明の範囲から逸脱せずに、ステップは修正され、付加され又は省略されてもよい。更に、本発明の範囲から逸脱せずに、ステップは適切ないかなる順序で実行されてもよい。
【００３０】
特定の実施例では、受動的光学素子が、各素子に取り付けられ、素子情報を格納するメモリチップを含んでいてもよい。そのような受動素子は、電力の、電気の及び／又は可動的な部分を含まない。それらは、光学的なカプラ、光フィルタ（即ち、単一チャネル又はサブバンドフィルタ）、固定的なアッテネータ、インターリーバその他の素子を含んでいてもよい。メモリチップに格納される素子情報は、物理的な情報、光学的機能又は素子のパフォーマンス（即ち、損失性や帯域等）を含んでいてもよい。例えば、受動的なＷＤＭチャネルフィルタのメモリチップは、そのフィルタに関する、通過帯域の中心波長、通過帯域又は挿入損失の情報を含んでいてもよい。
【００３１】
また、メモリチップは、特定の光素子に結合された管理システムが、その素子の存否を検出する機能を含んでいてもよい。メモリチップは、結合される素子の動作に影響せず、ネットワーク管理システムにインベントリ及び他の情報を単に与える。チップが特定の光学素子にインストールされると、ネットワーク管理システムは、素子の存在を検出し、ネットワーク全体に関する情報をその素子に自動的に与え、素子が適切にインストールされているか否かを判別してもよい。従って、素子のパフォーマンスに関する問題は回避されるであろう。特定の素子の情報が、光ネットワーク内の他の光素子の他のメモリチップ総てに与えられてもよい。また、そのような情報は、それが変わるにつれて更新されてもよい。ここに説明された光ネットワークにおけるメモリチップを利用することは、付加的に時間を節約し、ネットワークに関する置換、再構成及び更新による手違いを減らすであろう。
【００３２】
ここに説明されたもの以外の他の多くの素子が、本発明の教示内容から逸脱せずに、図示の要素と組合わせて使用され、又はそれらの要素と置換されてもよい。更に、ここに図示された特定の素子は、特定のネットワーキング要請や物理的制約及び空間的配置に相応しいように、分割され又は結合されてもよい。
【００３３】
以上本発明が詳細に説明されてきたが、様々な変更及び修正が当業者に示唆されるであろう。本発明は、添付の特許請求の範囲内に、そのような変更及び修正を包含することを
意図する。
【００３４】
以下、本発明により教示される手段を例示的に列挙する。
【００３５】
（付記１）
光ネットワークで通信するためのソース光信号を受信するステップであって、前記ソース光信号は、１以上のソースチャネルより成るところのステップ；
光トラフィックが通信される１以上のネットワークチャネルを判別するために、前記光ネットワークで通信される光トラフィックを監視するステップ；
前記１以上のネットワークチャネルのネットワークチャネル情報を判別するステップ；及び
前記１以上のソースチャネルの前記光ネットワークチャネルで通信するステップ；
を有し、前記光ネットワークチャネルは前記１以上のネットワークチャネルのいかなるものとも干渉せず、前記１以上のネットワークチャネルのいかなるものとも干渉する１以上のソースチャネルに関する光ネットワークチャネルで通信することを防ぐ
ことを特徴とする直接的に接続された光素子を管理するための方法。
【００３６】
（付記２）
前記１以上のネットワークチャネルのいかなるものとも干渉する１以上のソースチャネルに関する光ネットワークで通信することを遮るステップを更に有する
ことを特徴とする付記１記載の方法。
【００３７】
（付記３）
前記１以上のネットワークチャネルのいかなるものとも干渉する１以上のソースチャネルに関する光ネットワークで通信することを遮るステップが、前記１以上のネットワークチャネルのいかなるものとも干渉する１以上のソースチャネルに関する光ネットワークで通信することを遮る１以上のフィルタを制御するステップより成る
ことを特徴とする付記２記載の方法。
【００３８】
（付記４）
前記１以上のネットワークチャネルのいかなるものとも干渉する１以上のソースチャネルに関する光ネットワークで通信することを遮る１以上のフィルタを制御するステップが、１以上のチューナブルフィルタを調整するステップより成る
ことを特徴とする付記３記載の方法。
【００３９】
（付記５）
前記１以上のソースチャネルのソースチャネル情報を判別するために、前記１以上のソースチャネルをチャネルモニタに切り替えるステップを更に有する
ことを特徴とする付記１記載の方法。
【００４０】
（付記６）
前記ネットワークチャネル情報及び前記ソースチャネル情報により、前記１以上のソースチャネルのいかなるものが、前記１以上のネットワークチャネルのいかなるものと干渉するか否かを判別するステップを更に有する
ことを特徴とする付記５記載の方法。
【００４１】
（付記７）
前記１以上のネットワークチャネルのいかなるものとも干渉しない１以上のソースチャチャネルの光ネットワークチャネルで通信するために１以上の光スイッチを制御するステップを更に有する
ことを特徴とする付記６記載の方法。
【００４２】
（付記８）
前記１以上のソースチャネルの前記ソースチャネル情報が、前記１以上のソースチャネルに関連する波長の識別情報を有する
ことを特徴とする付記５記載の方法。
【００４３】
（付記９）
前記１以上のネットワークチャネルのネットワークチャネル情報が、前記１以上のネットワークチャネルに関連する波長の識別情報を有する
ことを特徴とする付記１記載の方法。
【００４４】
（付記１０）
光ネットワークに結合されたインサービスモニタを有する、直接的に接続された光素子を管理するシステムであって、前記インサービスモニタは：
１以上のネットワークチャネルを構成する、前記光ネットワークで通信される光トラフィックを監視し；
前記１以上のネットワークチャネルのネットワークチャネル情報を判別し；及び
前記インサービスモニタに結合されるネットワーク制御部に前記ネットワークチャネル情報を通知する；
ように動作可能であり、当該システムは、ソースに及び前記ネットワーク制御部に結合された１以上のフィルタを有し、各フィルタは：
ソース光信号の１以上のソースチャネルを受信し；及び
受信した１以上のソースチャネルの１以上で、前記光ネットワークと通信することを妨げる；
ように動作可能であり、前記ネットワーク制御部は、前記１以上のネットワークチャネルのいかなるものとも干渉する１以上のソースチャネルのいかなるものも遮るように、前記１以上のフィルタを制御するよう動作可能である
ことを特徴とするシステム。
【００４５】
（付記１１）
前記１以上のフィルタが１以上のチューナブルフィルタから構成され；及び
前記ネットワーク制御部が、前記１以上のネットワークチャネルのいかなるものとも干渉する１以上のソースチャネルのいかなるものも遮るように、前記１以上のチューナブルフィルタを調整するよう動作可能である；
ことを特徴とする付記１０記載のシステム。
【００４６】
（付記１２）
前記１以上のネットワークチャネルのネットワークチャネル情報が、前記１以上のネットワークチャネルに関連する波長の識別情報を有する
ことを特徴とする付記１０記載のシステム。
【００４７】
（付記１３）
光ネットワークに結合されたインサービスモニタを有する、直接的に接続された光素子を管理するシステムであって、前記インサービスモニタは：
１以上のネットワークチャネルを構成する、前記光ネットワークで通信される光トラフィックを監視し；
前記１以上のネットワークチャネルのネットワークチャネル情報を判別し；及び
前記インサービスモニタに結合されるネットワーク制御部に前記ネットワークチャネル情報を通知する；
ように動作可能であり、当該システムは、前記ネットワーク制御部に結合されたチャネルモニタを有し、前記チャネルモニタは：
ソース光信号の１以上のソースチャネルを受信し；
前記１以上のソースチャネルのソースチャネル情報を判別し；及び
前記ソースチャネル情報を前記ネットワーク制御部に通知する；
ように動作可能であり、前記ネットワーク制御部は：
前記ネットワークチャネル情報及び前記ソースチャネル情報により、前記１以上のソースチャネルのいかなるものが前記１以上のネットワークチャネルのいかなるものと干渉するか否かを判別し；及び
前記１以上のネットワークチャネルのいかなるものとも干渉しない１以上のソースチャネルの光ネットワークチャネルで通信する；
ように動作可能であることを特徴とするシステム。
【００４８】
（付記１４）
１以上の光スイッチを更に有し、各光スイッチは：
前記１以上のソースチャネルの各自のチャネルを受信し；及び
前記各自のチャネルで前記チャネルモニタ又は前記光ネットワークに切り替え可能に通信する；
ように動作可能であり、前記ネットワーク制御部は、前記１以上のネットワークチャネルのいかなるものとも干渉しない前記１以上のソースチャネルの光ネットワークチャネルで通信するように、前記１以上の光スイッチを制御するよう動作可能である
ことを特徴とする付記１３記載のシステム。
【００４９】
（付記１５）
前記１以上のソースチャネルの前記ソースチャネル情報が、前記１以上のソースチャネルに関連する波長の識別情報を含む
ことを特徴とする付記１３記載のシステム。
【００５０】
（付記１６）
前記１以上のネットワークチャネルの前記ネットワークチャネル情報が、前記１以上のネットワークチャネルに関連する波長の識別情報を含む
ことを特徴とする付記１３記載のシステム。
【図面の簡単な説明】
【００５１】
【図１】本発明の特定の実施例による、ネットワークノードを有する光通信ネットワークを示す図である。
【図２】本発明の一実施例による、チャネルモニタを用いる直接接続ノードを示す図である。
【図３】本発明の一実施例による、チューナブルフィルタを用いる直接接続ノードを示す図である。
【図４】本発明の一実施例による、直接的に接続された光素子の管理方法を示すフローチャートである。
【符号の説明】
【００５２】
１００  光ネットワーク；  １０２  光リンク；  １０４，１０６  光信号；  １０７  ソース；  １０８  波長又はチャネル；  １１０  光監視チャネル（ＯＳＣ）；  １１２  直接接続ノード；
２００  ネットワークノード；
３００  直接接続ノード；  ３０２  光リンク；  ３０５  ソース；  ３０６  光チャネル；  ３０８  １×２スイッチ；  ３１０  ｎ×１スイッチ；  ３１２，３２０  合成部；  ３１４  チャネルモニタ；  ３１６  ネットワーク制御部；  ３１８  インサービスモニタ；
４００  直接接続ノード；  ４０２  光リンク；  ４０４  光信号；  ４０５  ソース；  ４０６  カプラ；  ４０８  チューナブルフィルタ；  ４１２  合成部；  ４１６  ネットワーク制御部；  ４１８  インサービスモニタ；  ４２０  合成部
【図１】
2005303970.tif 000003
【図２】
2005303970.tif 000004
【図３】
2005303970.tif 000005
【図４】
2005303970.tif 000006
【外国語明細書】
2005303970.tif 000007
2005303970.tif 000008
2005303970.tif 000009
2005303970.tif 000010
2005303970.tif 000011
2005303970.tif 000012
2005303970.tif 000013
2005303970.tif 000014
2005303970.tif 000015
2005303970.tif 000016
2005303970.tif 000017
2005303970.tif 000018
2005303970.tif 000019
2005303970.tif 000020
2005303970.tif 000021
2005303970.tif 000022
2005303970.tif 000023
2005303970.tif 000024
2005303970.tif 000025
2005303970.tif 000026
2005303970.tif 000027
2005303970.tif 000028
2005303970.tif 000029
2005303970.tif 000030
2005303970.tif 000031
2005303970.tif 000032